(57)【要約】【課題】シートを破損させることなく細長い開口部を確実に形成する。【解決手段】開口部２６の輪郭を形成するシート部分１００を該輪郭の全周に亘ってカッタにより切断することで、開口部２６の輪郭を形成し、該切断部分で囲まれたシート部分１０２をピン１５０により押し込んで残りのシート部分１０３から分離することで、シート２に細長い開口部２６を形成する場合において、前記のピン１５０による押し込みの際にピン１５０と前記残りのシート部分１０３とが干渉することを避けるために、開口部２６の一部が開口部２６の短手方向外側へ膨出するように開口部２６の輪郭を形成し、ピン１５０による前記シート部分１０２の押し込みを、前記膨出する部分を含む部分において行う。【選択図】図９
2011126548.tif 000002
【特許請求の範囲】
【請求項１】
細長い開口部の輪郭を形成するシート部分が該輪郭の全周に亘ってカッタにより切断され且つ該切断部分で囲まれたシート部分がピンにより押し込まれて残りのシート部分から分離されることで、前記開口部が形成されたシートであって、
前記開口部に、前記切断部分で囲まれたシート部分が前記ピンにより押し込まれるときに該ピンと前記残りのシート部分とが干渉することを避けるために前記開口部の短手方向外側へ膨出した膨出部が設けられていることを特徴とするシート。
【請求項２】
前記膨出部は、前記開口部の長手方向中央部に形成されていることを特徴とする請求項１に記載のシート。
【請求項３】
請求項１または２に記載のシートを用いて組み立てられた紙箱であって、
底面部と、該底面部から立ち上がる周壁部と、該周壁部の上端開口部を塞ぐ蓋部と、を備え、
前記細長い開口部は、前記蓋部の一部を差し込むために前記周壁部に設けられた差し込み口であることを特徴とする紙箱。
【請求項４】
前記蓋部は、前記周壁部の一部を覆う被覆部を備え、
前記差し込み口は、前記被覆部の下端部を差し込み可能に設けられ、
前記差し込み口において、前記膨出部は上方へ膨出するように設けられていることを特徴とする請求項３に記載の紙箱。
【請求項５】
シートに細長い開口部を形成するシートの開穿方法であって、
前記開口部の輪郭を形成するシート部分を該輪郭の全周に亘ってカッタにより切断することで前記輪郭を形成する輪郭形成工程と、
前記カッタによる切断部分で囲まれたシート部分をピンにより押し込んで残りのシート部分から分離する分離工程と、を有し、
前記輪郭形成工程では、前記分離工程において前記ピンと前記残りのシート部分とが干渉することを避けるために前記開口部の一部が該開口部の短手方向外側へ膨出するように前記輪郭を形成し、
前記分離工程では、前記切断部分で囲まれたシート部分のうち、前記膨出する部分を含む部分においてを前記ピンにより押し込むことを特徴とするシートの開穿方法。
【発明の詳細な説明】
【技術分野】
【０００１】
本発明は、細長い開口部を有するシート、該シートを用いて組み立てられた紙箱、及びシートに細長い開口部を形成する方法に関する。
【背景技術】
【０００２】
ブランクシートを用いて組み立てられる紙箱に関して、例えば特許文献１には、紙箱の前面部に再封用の差し込み口を設け、開封後に蓋部の下端を差し込み口に差し込むことで紙箱が再封されるようにした技術が開示されている。かかる技術において、再封用の差し込み口は、ブランクシートに形成された切り込みにより構成される。
【０００３】
しかし、このように再封用の差し込み口を切り込みで構成する場合、差し込み口を拡げなければ、差し込み口に蓋部下端を差し込むことができないため、容易に再封できないことがある。
【０００４】
この問題に鑑みて、再封用の差し込み口を、切り込みに代えて細長い開口部で構成することが考えられる。この場合、差し込み口の短手方向に関して、差し込み口を拡げなくてもある程度の幅を確保することができ、蓋部下端を差し込み口へ容易に差し込むことができる。
【先行技術文献】
【特許文献】
【０００５】
【特許文献１】特開２００９−１１３８３５号公報
【発明の概要】
【発明が解決しようとする課題】
【０００６】
紙箱用のブランクシートに開口部を形成する場合は、先ず、該開口部の輪郭を形成するシート部分をカッタで切断する。続いて、該切断部分で囲まれたシート部分を残りのシート部分から分離させるようにピンで落とし込み、これにより、ブランクシートに開口部が形成される。
【０００７】
ところが、上記の再封用の差し込み口として細長い開口部をブランクシートに形成する場合、開口部の短手方向の幅が上記のピンの外径と同程度になることがあり、ピンによる落とし込みの際にピンが開口部周縁のシート部分に干渉することがある。よって、この場合、ピンによる落とし込みが不完全となったり、ブランクシートの破損を招いたりすることがある。
【０００８】
そこで、本発明は、開口部の輪郭を形成するシート部分をカッタで切断した後に、該切断部分で囲まれたシート部分を残りのシート部分から分離させるようにピンで押し込むことで、シートに細長い開口部を形成する場合において、シートを破損させることなく開口部を確実に形成することを、基本的な目的とする。
【課題を解決するための手段】
【０００９】
上記課題を解決するため、本発明に係るシートは、
細長い開口部の輪郭を形成するシート部分が該輪郭の全周に亘ってカッタにより切断され且つ該切断部分で囲まれたシート部分がピンにより押し込まれて残りのシート部分から分離されることで、前記開口部が形成されたシートであって、
前記開口部に、前記切断部分で囲まれたシート部分が前記ピンにより押し込まれるときに該ピンと前記残りのシート部分とが干渉することを避けるために前記開口部の短手方向外側へ膨出した膨出部が設けられていることを特徴とする。
【００１０】
本発明に係る紙箱は、上記のシートを用いて組み立てられた紙箱であって、
底面部と、該底面部から立ち上がる周壁部と、該周壁部の上端開口部を塞ぐ蓋部と、を備え、
前記細長い開口部は、前記蓋部の一部を差し込むために前記周壁部に設けられた差し込み口であることを特徴とする。
【００１１】
本発明に係るシートの開穿方法は、
シートに細長い開口部を形成するシートの開穿方法であって、
前記開口部の輪郭を形成するシート部分を該輪郭の全周に亘ってカッタにより切断することで前記輪郭を形成する輪郭形成工程と、
前記カッタによる切断部分で囲まれたシート部分をピンにより押し込んで残りのシート部分から分離する分離工程と、を有し、
前記輪郭形成工程では、前記分離工程において前記ピンと前記残りのシート部分とが干渉することを避けるために前記開口部の一部が該開口部の短手方向外側へ膨出するように前記輪郭を形成し、
前記分離工程では、前記切断部分で囲まれたシート部分のうち、前記膨出する部分を含む部分においてを前記ピンにより押し込むことを特徴とする。
【発明の効果】
【００１２】
本発明によれば、開口部の輪郭を形成するシート部分をカッタで切断した後に、該切断部分で囲まれたシート部分を残りのシート部分から分離させるようにピンで押し込むことで、シートに細長い開口部を形成する場合において、該開口部に、上記のピンによる押し込みの際にピンと前記残りのシート部分とが干渉することを避けるために開口部の短手方向外側へ膨出した膨出部が設けられる。そのため、ピンの押し込みによるシートの分離が不確実になることで開口部が確実に形成されなかったり、シートの破損を招いたりすることを防止することができる。
【図面の簡単な説明】
【００１３】
【図１】本発明の一実施形態に係る紙箱を示す斜視図である。
【図２】図１に示す紙箱の形成に使用されるブランクシートの平面図である。
【図３】図２に示すブランクシートを組み立てる手順を示す斜視図である。
【図４】図２に示すブランクシートを組み立てる手順を示す斜視図である。
【図５】図２に示すブランクシートを組み立てる手順を示す斜視図である。
【図６】組み立てが完了した状態の紙箱を示す斜視図である。
【図７】紙箱を開封した状態を示す斜視図である。
【図８】紙箱を解体した状態を示す斜視図である。
【図９】ブランクシートに差し込み口を形成する手順を示す斜視図である。
【図１０】ブランクシートに差し込み口を形成する手順を示す斜視図である。
【図１１】差し込み口を拡大して示す紙箱の斜視図である。
【発明を実施するための形態】
【００１４】
以下、添付図面を参照して本発明の好適な実施形態を説明する。なお、以下の説明では、特定の方向を意味する用語（例えば、「上」、「下」、「左」、「右」、およびそれらを含む他の用語）を使用するが、それらの使用は図面を参照した発明の理解を容易にするためであって、それらの用語の意味によって本発明は限定的に解釈されるべきものでない。また、以下の説明において、同一又は類似の構成部分には同一の符号を用いている。
【００１５】
図１は、本実施形態に係る紙箱１を示す斜視図である。紙箱１は、例えば薬品や化粧品の容器等を包装するために使用されるものであり、図２に示すように複数のパネル部からなるブランクシート２を用いて組み立てられる。
【００１６】
図１に示すように、紙箱１は、底面部１４と、底面部１４から立ち上がる筒状周壁４と、筒状周壁４の上端開口を塞ぐ蓋部１５とを備える。蓋部１５は、筒状周壁４の上端の一部に折り目７２を介して連設され且つ筒状周壁４の上端開口を塞ぐ上面部１６と、上面部１６に折り目７１を介して連設され且つ筒状周壁４の外周面の一部を被覆する被覆部１７とを有する。被覆部１７は、筒状周壁４の外周面に接着される周壁接着部２０と、上面部１６に連なったままの状態で周壁接着部２０から切り離し可能であり且つ該切り離し後の蓋部１５により筒状周壁４の上端開口を閉じたときに筒状周壁４に係止可能な係止部２２とを有する。周壁接着部２０と係止部２２との境界には、複数の切り込みからなるミシン目９１が形成されている。係止部２２の先端には、筒状周壁４に形成された後述の差し込み口２６に差し込まれる差し込み片２４が設けられている。
【００１７】
筒状周壁４は、蓋部１５の上面部１６が連設された後面部６と、後面部６に対向配置され且つ蓋部１５の被覆部１７に被覆される前面部８と、前面部８と後面部６とに跨る一対の側面図１０，１２とからなる。
【００１８】
前面部８には、上述の係止部２２の差し込み片２４を差し込むための差し込み口２６が形成されている。差し込み口２６は、例えば三日月状に屈曲した細長い開口部で構成されている。このように開口部で構成された差し込み口２６は、切り込みで構成された差し込み口とは異なり、差し込み口２６の短手方向に関してある程度の幅を有するため、蓋部１５の差し込み片２４を差し込み口２６に差し込みやすくなっている。差し込み口２６は、その長手方向中央部が最上部となるように設けられており、差し込み口２６への差し込み片２４の差し込みが、差し込み口２６の長手方向中央部から開始されるようにしてある。また、図１１に示すように、差し込み口２６の長手方向中央部には、上方に膨出する後述の膨出部１１０が設けられている。さらに、前面部８には、差し込み口２６の上縁に連なる複数の切り込み１０４（１０４ａ，１０４ｂ，１０４ｃ，１０４ｄ，１０４ｅ）が設けられている。これらの切り込み１０４を設けることにより、差し込み口２６の上縁部を容易に撓ませることができるため、差し込み口２６への差し込み片２４の差し込みが一層容易になっている。
【００１９】
図３及び図４に示すように、各側面部１０，１２は、複数のパネル部、具体的には後述の３つのパネル部６０ａ〜６０ｃ，６２ａ〜６２ｃが互いに重ね合わされて構成されている。各側面部１０，１２の上端には、上面部１６の下面に接着させるための接着片３０が折り目８３，８４を介して連設されている。各側面部１０，１２の上端にはまた、接着片３０の内側に重ねられる内側片３２が折り目８１，８２を介して連設されている。本実施形態において、接着片３０は、側面部１０，１２において最も外側に配置されるパネル部６０ｃ，６２ｃに連設され、内側片３２は、側面部１０，１２において最も内側に配置されるパネル部６０ａ，６２ａに連設されている。
【００２０】
ただし、接着片３０は、側面部１０，１２において最も内側に配置されるパネル部６０ａ，６２ａ以外のいずれのパネル部６０ｂ，６０ｃ，６２ｂ，６２ｃに連設されるようにしてもよく、内側片３２は、接着片３０に連設されたパネル部よりも内側に配置されたパネル部であればいずれのパネル部６０ａ，６０ｂ，６２ａ，６２ｂに連設されるようにしてもよい。また、接着片３０及び／又は内側片３２は、いずれか一方の側面部の上端に連設されるようにしてもよい。
【００２１】
図２は、組み立てられたときに箱の内側に配置される面側から見たブランクシート２の平面図である。図２に示すように、ブランクシート２は、底面部１４を構成する底面パネル部６４と、前面部８を構成する前面パネル部５８と、後面部６を構成する後面パネル部５６と、一方の側面部１０を構成する３つの側面パネル部６０ａ，６０ｂ，６０ｃと、他方の側面部１２を構成する３つの側面パネル部６２ａ，６２ｂ，６２ｃと、上面部１６を構成する上面パネル部６６と、被覆部１７を構成する被覆パネル部６７とを有する。
【００２２】
図中の上下方向において上から順に、被覆パネル部６７、上面パネル部６６、後面パネル部５６、底面パネル部６４、及び前面パネル部５８が、折り目７１〜７４を介して直線状に並んで連設されている。前面パネル部５８には差し込み口２６が設けられている。前面パネル部５８に差し込み口２６を形成する方法については後述する。
【００２３】
一方の側面部１０は、組み立てられたときに最も内側に配置される第１の側面パネル部６０ａと、第１の側面パネル部６０ａの外側に配置される第２の側面パネル部６０ｂと、第２の側面パネル部６０ｂの外側、すなわち最も外側に配置される第３の側面パネル部６０ｃとで構成される。同様に、他方の側面部１２は、組み立てられたときに最も内側に配置される第１の側面パネル部６２ａと、第１の側面パネル部６２ａの外側に配置される第２の側面パネル部６２ｂと、第２の側面パネル部６２ｂの外側、すなわち最も外側に配置される第３の側面パネル部６２ｃとで構成される。第１の側面パネル部６０ａ，６２ａは、底面パネル部６４に折り目７７，７８を介して連設され、第２の側面パネル部６０ｂ，６２ｂは、後面パネル部５６に折り目７５，７６を介して連設され、第３の側面パネル部６０ｃ，６２ｃは、前面パネル部５８に折り目７９，８０を介して連設されている。後面パネル部５６と第２の側面パネル部６０ｂ，６２ｂとの境界と、前面パネル部５８と第３の側面パネル部６０ｃ，６２ｃとの境界とには、複数の切り込みからなるミシン目９２〜９５が形成されている。また、第３の側面パネル部６０ｃ，６２ｃと接着片３０との境界にも、複数の切り込みからなるミシン目９６，９７が形成されており、これにより、接着片３０が側面部１０，１２の上端から切り離し可能となっている。
【００２４】
第１の側面パネル部６０ａ，６２ａ、第２の側面パネル部６０ｂ，６０ｂ、及び接着片３０の外側の面には、シール部Ｓ１〜Ｓ３が所定箇所に設けられている（図３〜図５参照）。また、周壁接着部２０の内側の面にもシール部Ｓ４が所定箇所に設けられている。シール部Ｓ１〜Ｓ４には、ブランクシート２の組立て前に予め接着剤が塗布される。
【００２５】
図３〜図６に基づき、ブランクシート２を組み立てる手順について説明する。図３に示すように、先ず、第１の側面パネル部６０ａ，６２ａを折り目７７，７８に沿って略直角に折り曲げる。続いて、図４に示すように、後面パネル部５６を折り目７３に沿って略直角に折り曲げた後、第２の側面パネル部６０ｂ，６２ｂを折り目７５，７６に沿って略直角に折り曲げ、第１の側面パネル部６０ａ，６２ａの外側の面に第２の側面パネル部６０ｂ，６２ｂを貼り合わせる。次に、図５に示すように、前面パネル部５８を折り目７４に沿って略直角に折り曲げた後、第３の側面パネル部６０ｃ，６２ｃを折り目７９，８０に沿って略直角に折り曲げ、第２の側面パネル部６０ｂ，６２ｂの外側の面に第３の側面パネル部６０ｃ，６２ｃを貼り合わせる。これにより、接着片３０の内側に内側片３２が重ねられる（図１参照）。最後に、薬品の容器等の収容物を箱の内部に収容した状態で蓋部１５を閉じることで、図６に示すようにブランクシート２の組立てが完了し、これにより紙箱１の内部に収容物が封入される。蓋部１５を閉じる際、具体的には、接着片３０と内側片３２を折り目８１〜８４に沿って内側に折り曲げた状態で、上面パネル部６６を折り目７２に沿って略直角に折り曲げ、接着片３０の外側の面に上面パネル部６６を貼り合わせる。さらに、被覆パネル部６７を折り目７１に沿って略直角に折り曲げ、前面パネル部５８の外側の面に被覆パネル部６７の周壁接着部２０を貼り合わせる。これにより、蓋部１５の上面部１６が接着片３０に接着され、蓋部１５の被覆部１７が前面部８に接着されることから、蓋部１５の接着が紙箱１の前面と上面の２面で行われることとなる。そのため、紙箱の前面のみで蓋部の接着を行う場合に比べて、開封前に誤って蓋部１５が開いてしまうことを一層確実に防止することができる。
【００２６】
紙箱１に収容物が封入された状態において、紙箱１を押さえながら蓋部１５の先端に設けられた差し込み片２４を摘んで引き上げることにより、図７に示すように紙箱１を開封することができる。具体的に、かかる開封操作により、蓋部１５の被覆部１７において、ミシン目９１に沿って係止部２２が周壁接着部２０から切り離されるとともに、蓋部１５の上面部１６の下面に接着された接着片３０が、ミシン目９６，９７に沿って第３の側面パネル部６０，６２ｃから切り離され、これにより、蓋部１５を開くことができる。このようにして紙箱１を開封すると、接着片３０が側面部１０，１２から切り離されるが、開封前に接着片３０の内側に重ねられていた内側片３２は、側面部１０，１２の上端に連設された状態が維持される。紙箱１をいったん開封した後に蓋部１５を閉じるとき、蓋部１５の先端の差し込み片２４を前面部８の差し込み口２６に差し込むことで、蓋部１５の係止部２２を前面部８に係止することができ、これにより、一旦開封した紙箱１に薬品の容器等の収容物を再封入することが可能となる。このとき、蓋部１５の上面部１６は、内側片３２の外側に重ねられることとなるため、蓋部１５の上面部１６と側面部１０，１２の上端との間の隙間を内側片３２により概ね塞ぐことができる。
【００２７】
開封後の紙箱１を廃棄する際、図８に示すように、側面部１０，１２を外側に倒すようにしながら、第３の側面パネル部６０ｃ，６２ｃをミシン目９４，９５に沿って前面部８から切り離し、第２の側面パネル部６０ｂ，６２ｂをミシン目９２，９３に沿って後面部６から切り離すことで、側面部１０，１２を前面部８及び後面部６から容易に切り離すことができる。これにより、紙箱１を容易に薄板状にすることができ、廃棄時の利便性が高められる。
【００２８】
続いて、図９及び図１０を参照しながら、ブランクシート２に差し込み口２６を形成する方法について説明する。
【００２９】
差し込み口２６は、輪郭形成工程と分離工程とを経て形成される。
【００３０】
先ず、輪郭形成工程では、差し込み口２６の輪郭を形成するシート部分１００を、該輪郭の全周に亘って図示しないカッタにより切断し、これにより、差し込み口２６の輪郭を形成する。この差し込み口２６の輪郭形成は、差し込み口２６が概略三日月状に形成されるように且つ差し込み口２６に膨出部１１０が設けられるように行う。膨出部１１０は、次の分離工程においてピン１５０が上記の切断部分１００で囲まれたシート部分１０２を除く残りのシート部分１０３に干渉することを避けるために差し込み口２６の短手方向外側へ膨出して設けられる。また、膨出部１１０は、差し込み口２６の長手方向中央部に配置されるように、且つ、後述のピン１５０の下面形状に対応した形状、具体的には例えば半円状となるように設けられる。このようにして膨出部１１０が設けられるように差し込み口２６の輪郭を形成することで、上記シート部分１０２の短手方向の幅は、上記シート部分１０２の長手方向中央部において比較的大きく確保される。
【００３１】
なお、輪郭形成工程では、差し込み口２６の輪郭形成と併せて、差し込み口２６に連なる上記複数の切り込み１０４（１０４ａ，１０４ｂ，１０４ｃ，１０４ｄ，１０４ｅ）を形成する。
【００３２】
次の分離工程では、切断部分１００で囲まれたシート部分１０２をピン１５０により押し込んで残りのシート部分１０３から分離させる。具体的には、シート２を水平に配置した状態で、切断部分１００で囲まれたシート部分１０２を、上下方向に沿って配置された丸棒状のピン１５０の下端により下方へ押し込むことにより、落とし込む。このとき、ピン１５０による押し込みは、シート部分１０２のうち膨出部１１０に相当する部分を含む部分、すなわち、シート部分１０２の長手方向中央部において行う。シート部分１０２の長手方向中央部は、シート部分１０２の短手方向に関して最大の幅を有するため、ピン１５０と残りのシート部分１０３との干渉を回避しつつ、ピン１５０によるシート部分１０２の押し込みを確実に行うことができる。よって、ピン１５０との接触による残りのシート部分１０３の破損を防止しつつ、シート部分１０２の落とし込みによる差し込み口２６の形成を確実に行うことができる。
【００３３】
以上、上述の実施形態を挙げて本発明を説明したが、本発明は上述の実施形態に限定されるものではない。
【００３４】
例えば、上述の実施形態では、紙箱用のブランクシートに開口部を形成する場合について説明したが、本発明は、紙箱以外の種々の用途に用いるシートに開口部を形成する場合にも等しく適用することができる。
【００３５】
また、上述の実施形態では、三日月状に屈曲した開口部を形成する場合について説明したが、本発明は、三日月状以外の種々の形状の細長い開口部を形成する場合にも等しく適用することができる。
【符号の説明】
【００３６】
１：紙箱、２：ブランクシート、４：周壁部、１４：底面部、１５：蓋部、１７：被覆部、２６：差し込み口（細長い開口部）、１００：輪郭を形成するシート部分（切断部分）、１０２：切断部分で囲まれたシート部分、１０３：残りのシート部分、１１０：膨出部、１５０：ピン。
【図１】
2011126548.tif 000003
【図２】
2011126548.tif 000004
【図３】
2011126548.tif 000005
【図４】
2011126548.tif 000006
【図５】
2011126548.tif 000007
【図６】
2011126548.tif 000008
【図７】
2011126548.tif 000009
【図８】
2011126548.tif 000010
【図９】
2011126548.tif 000011
【図１０】
2011126548.tif 000012
【図１１】
2011126548.tif 000013